(57)【要約】【課題】ホワイトボードのイレーザで、マーカ着色粉の処置を容易にする。【解決手段】表面が繊維質からなる２本の円柱体をケース内に並列配置し、円柱体をボードに接触させ移動する。円柱体は左右にスライド可能で、円柱体の間隔は連結部品で保たれ、一方の円柱体はケース内壁に接して回転抑止されてボードを擦り、他方の円柱体は回転して自分の表面に付着している着色粉を除去して容器に収納する。ケースの左右の移動方向によって、２本の円柱体は交代動作し、イレーズした着色粉の相当量が容器に溜まれば容器ごと破棄すればよい。【選択図】図１
2008254411.tif 000002
【特許請求の範囲】
【請求項１】
ケースにセットされた表面が繊維質の円柱体をボードの表面に接触させ、該円柱体の軸に垂直な第一の方向へ移動すると該円柱体は該ボードの表面を擦りながら該ボードの表面の着色粉をを収集し、反対方向へ移動すると該円柱体は回転し、該円柱体へ転移した該着色粉が該円柱体から除去される装置であって、該第一の方向への移動では該円柱体の表面に回転抑止力が該ケースから作用されることを特徴とするイレーザ。
【請求項２】
請求項１において、二本の該円柱体が連結状で並列に配置され、第一の円柱体が該ボードの表面を擦りながら移動する時に、第二の円柱体は回転しながら移動し、反対方向へ移動すると第一の円柱体が回転し、第二の円柱体が該ボード表面を擦ることを特徴とするイレーザ。
【請求項３】
請求項１において、該円柱体から除去された該着色粉を収容する容器は取り外し自在に該ケースに配置されることを特徴とするイレーザ。
【発明の詳細な説明】
【技術分野】
【０００１】  本発明は、主として、ホワイトボードのイレーザに関するものであるが、発明技術を転用し、黒板の白墨消し、更には、家具の表面の塵埃除去、床上の飛散粉の掃除などの技術、装置として用いることも可能である。
【背景技術】
【０００２】  ホワイトボードにマーカを用いて記載した文字、図等を消去する技術として、表面がフェルト、倒伏加工布、スポンジ等の繊維質からなる円柱体をボード表面へ接触させ、円柱体軸の垂直方向で左右に移動させ、円柱体の回転と停止の繰り返しにより、ボードに付着したマーカの着色粉を擦り、収集する装置がある（例えば、特許文献１、特許文献２を参照）。【０００３】
【特許文献１】特開平１０−５８８９３
【特許文献２】特開２０００−２３８４９５
【発明の開示】
【発明が解決しようとする課題】
【０００４】  以上に述べた従来のイレーザでは、円柱体の回転、停止の繰り返し動作の安定性、耐久性等の点で、また着色粉を収容する容器の扱い易さの点で、更に経済性の観点から構成の簡素化が課題となった。
【課題を解決するための手段】
【０００５】  ケースに回転可能にセットされ、表面が繊維質の材料からなる円柱体をボードの表面に接触させ、円柱体の軸に垂直な第一の方向へケースを移動すると、円柱体はボードの表面を擦りながらボードの表面の着色粉を収集し、反対方向へ移動すると円柱体は回転し、円柱体へ転移した着色粉が円柱体から除去される装置で、第一の方向への移動では円柱体の表面に回転抑止力がケースから作用されるイレーザである。回転抑止力がケースから作用するとは、円柱体の表面とケース内面とが直接接触し、摩擦力が作用してもよいし、ケースに固定又は半固定の平板や湾曲面を有する部材と円柱体表面を接触させてもよい。
円柱体に回転抑止力を効果的に作用させるために、平板や湾曲面の表面を粗面化し、摩擦を増大させてもよい。【０００６】  円柱体一本のイレーザでは、例えば円柱体が右回転では摩擦力が大きく、左回転では摩擦力が小さくなるように、摩擦発生面の粗面に方向性を持たせたり、右回転の時のみ平板や湾曲面と接触するよう円筒体の軸をスライド可能に構成してもよい。【０００７】  より好都合には、ケースに二本又はそれ以上の円柱体が連結状で並列に配置され、ケースを第一の方向へ、円柱体がボードへ接触する状態で移動すると、第一の円柱体がボードの表面を擦りながら移動し、第二の円柱体は回転しながら移動する。ケースを反対方向へ移動すると、第二の円柱体がボード表面を擦り、第一の円柱は回転しながら移動する。第一と第二の円柱体は交互に、ボード消去（着色粉収集）と円柱体から着色粉除去を繰り返すので、通常のイレーザの左右に滑らす使い方との違和感がなくなる。
二本の円柱体を連結部品により連結状に並列配置すると、ケースを第一の方向へ移動すると、第二の円柱体が連結部品を介して第一の円柱体へ押す力を作用し、第一の円筒体の表面が摩擦面を押す力も大きくなり、回転抑止力が大きくなる。更に、連結部品は第一と第二の円柱体の表面が互いに接触しないためのスペーサの役目を兼ねてもよい。【０００８】  回転している円柱体の表面から転移した着色粉を除去するのに、円柱体軸に沿った除去部品を用いるので、円柱体と並列配置した容器が着色粉を直接受容すれば合理的である。この容器が着脱可能で、紙等のように収容した着色粉と一緒に破棄可能な材質であれば、処理が容易になる。
更に、この容器の内表面に粘着性の層があれば、着色粉が容器内に安定に収容されやすい。又、着色粉と粘着性物質との化学反応は定かでないが、経過時間とともに着色粉が固まる現象もみられた。この粘着性の層は、容器内に市販の両面テープを貼り、ケースへ容器をセッティングする際に表面の剥離紙を除去するのがよい。
【発明の効果】
【０００９】  上述したように本発明のイレーザは、円柱体の回転抑止力を円柱体表面に作用させるので、停止位置が任意となり、表面を満遍なく使用でき、構成も簡単になり、回転／停止動作の安定化、耐久性などが高まり、簡素化によるコストダウンも可能となった。
また、二本以上の円柱体を連結状で配置したことで、着色粉の収集／収納の繰り返し動作が非常に安定化した。
更に、収集した着色粉は容器に安定収納され、着色粉とケースを一体的に処分可能となり、イレーザの保守、管理も容易になった。
【発明を実施するための最良の形態】
【００１０】  以下、本発明の実施の形態を図１〜図４に基づいて説明する。また、本発明と同一出願人による特許文献１と特許文献２に記載した内容で、本発明にも応用可能なものは、それを取り入れる。【００１１】  図１はケース１に二本の円柱体２―１、―２を並列配置したイレーザの例を示す。
図１ａ）はボードへ対面する側から見た平面図である。円柱体２は左右にスライドし、図では左側に寄った状態を示すが、上下並びに左右は基本的には対称である。
円柱体２の軸３は、ケース１の内壁の溝部４に左右へスライド可能に嵌められている。又、図示してないが、溝部４の中心に軸３のスライド距離を制限するストッパを設け、二本の円柱体同士の表面が接触しない距離を確実に確保してもよい。
図はケース１が右方向へ移動してる状態を示し、円柱体２―１はケース１の内側に接して回転が抑止され、ボード面を擦り、円柱体２―２はボード面を回転して移動する。
円柱体２―１、―２は連結部品５により連結状になっており、相互に緩い束縛で力を作用し合っている。この連結部品５は実施例図に限定されることなく、円柱体の表面同士が接触しない間隔を保ち、間隔が拡がって（ケース内）も外れず、互いの作用力に耐える強度があればよく、プラスチック、金属、紙等の薄板に軸３と勘合するコ字や穴等を加工したものを用いる。
図１ａ）では、ｂ）〜ｄ）に図示した除去部品６、容器７等が省略された概要の平面図を示したので、以下の図ではこれらを含め、説明する。【００１２】  図１ｂ）は、図１ａ）のＡ−Ａ線の断面図、図１ｃ）はＢ−Ｂ線の断面からケース側を見た図、図１ｄ）はＣ−Ｃ線の断面図である。
図１ｂ）の円柱体２―２は回転しながら、支持部８に保持された除去部品６と接し、円柱体２―２の表面に転移されてた着色粉をその表面から除去する。除去された着色粉は後に詳述する容器７に収容される。除去部品６の円柱体表面と接する面は着色粉除去を容易にするために突起状をなしている。更に、弾力体９（スポンジ、バネ等）からの適度な力が容器７、支持部８を介して除去部品６に働き、円筒体２―２の表面に作用し、着色粉除去を促進している。【００１３】  図１ｄ）では、円柱体２―１がケース１の平面に接触して、回転抑止されている。曲面にして接触面を拡大したり、接触面を粗面化して摩擦力を増大させ、回転抑止を確実にできる。更に、図１ｃ）の連結部品５によって、円柱体２―２の左向きの力を各々の軸３を介して円柱体２―１に伝え、摩擦力を更に増大させている。【００１４】  円柱体２―２は右周りに回転していて、除去部品６の突起状の部分が円柱体２―２の表面に転移し付着していた着色粉（図示せず）を容器７の内壁に向け飛ばす。この着色粉は容器７内に積もり、収容される。主として積もる位置は、図の垂直面１０になるので、この面を凹面にすれば、収容量増加に好都合である。
また、容器７の内壁に粘着膜（例えば市販の両面テープ）を貼れば、着色粉をより安定に収容できる。、
容器７は紙、プラスチック、金属等の薄板を加工してつくるが、着色粉と共に廃棄するに好都合な材料を選ぶ。【００１５】  ケース１を左方向へ移動すれば、円柱体２―１、―２は右側へスライドし、円柱体２―２は回転抑止してボードを擦り／消去し、着色粉を収集する。円柱体２―１は回転を開始し、先の右方向移動で収集した着色粉は円柱体２―１の表面へ転移（まき上げ）する。円柱体表面は繊維質なので、かなりの確度で転移するが、取り残し着色粉は円柱体２―２が再収集する。通常のイレーザにはない優位な点である。左周りに回転する円柱体２―１は、表面に転移した着色粉を除去部品６で容器７の左内壁方向へ収容する。容器７も左右を対照にすることができ、図では左右一体型を示したが、左右を別個にしてもよい。【００１６】  図２は除去部２６と容器部１２とが一体化された例を示した。回転する円柱体２２から除去された着色粉は粘着膜２７―１上に積もる。複数の円柱体２２がある場合は、それぞれに別個に、除去時の回転方向に合わせて配置するばよい。【００１７】  図３には、円柱体３２の断面の一例を示した。円柱体の芯３２―１の中心には孔が貫通し、軸３３に対して自在に回転できる。軸３３に固定するより、回転が滑らかとなる。
芯３２―１の表面に長繊維布などの繊維質３２―２が固定される。簡便には粘着材による固定、枠で固定、埋め込み固定、繊維質布を筒状にして嵌める等の方法がある。
また、繊維質３２―２と芯３２―１との間に、布やスポンジなどのクッション材を挟むことで、イレーズ品質を向上できるが、繊維質３２―２自体の厚さにより効用も異なる。【００１８】  図４は除去部品の他の例の部分図を示し、ａ）、ｂ）は突起状部４６―１の配置例を示す。ｃ）は網形の除去部品の例で、着色粉は網目から外側にも排除されので、それを収容する容器の収容量も増大化できる。【００１９】  以上では、ホワイトボード上のマーカの着色粉のイレーザとして記載したが、本発明技術は黒板上の白墨粉、家具面上の塵埃、床上の飛散粉等を処理する装置にも適用できる。
【図面の簡単な説明】
【００２０】
【図１】本発明の実施形態を示すイレーザで、ａ）は平面図、ｂ）はａ）のＡ−Ａ線の断面図、ｃ）はａ）のＢ−Ｂ線で切断した側面図、ｄ）はａ）のＣ−Ｃ線の断面図
【図２】容器部と除去部が一体化された例の断面図
【図３】円柱体の詳細な構成例の断面図
【図４】除去部品の他の例の部分図
【符号の説明】
【００２１】  １．ケース。２―１〜―２．円柱体。３．軸。４．溝部。５．連結部品。
６．除去部品。７．容器。８．支持部。９．弾力体。１０．垂直面。２２．円柱体。
２６．除去部。２７．容器部。２７―１．粘着膜。３２．円柱体。３２―１．芯。
３２―２．繊維質。３３．軸。４６．除去部品。４６―１．突起状部
【図１】
2008254411.tif 000003
【図２】
2008254411.tif 000004
【図３】
2008254411.tif 000005
【図４】
2008254411.tif 000006
【手続補正書】
【提出日】平成19年5月12日(2007.5.12)
【手続補正１】
【補正対象書類名】図面
【補正対象項目名】図４
【補正方法】変更
【補正の内容】
【図４】
2008254411.tif 000007